(57)【要約】【課題】  導光板を用いた簡素化された構成の照明装置を提供する。【解決手段】  照明装置１０は、導光板１１と、導光板１１の裏側に配置された光源１２を備える。導光板１１の表側の面において光源１２に対峙する位置に、第１光拡散部１３が設けられている。導光板１１の裏側の面において第１光拡散部１３から離れた位置に、第２光拡散部１４が設けられている。【選択図】  図４
2019119228.tif 000002
【特許請求の範囲】
【請求項１】
導光板と、
上記導光板の裏側に配置された光源と、
上記導光板の表側の面において上記光源に対峙する位置に設けられた第１光拡散部と、
上記導光板の裏側の面において上記第１光拡散部から離れた位置に設けられた第２光拡散部と、
を備えたことを特徴とする照明装置。
【請求項２】
上記第１及び第２光拡散部のうち少なくとも一方は、上記導光板に対して着脱可能であることを特徴とする請求項１に記載の照明装置。
【請求項３】
上記第１及び第２光拡散部のうち少なくとも一方は、シート状に形成され、上記導光板の外面に貼り付けられていることを特徴とする請求項２に記載の照明装置。
【発明の詳細な説明】
【技術分野】
【０００１】
本発明は、光源と導光体を備えた照明装置に関する。
【背景技術】
【０００２】
光源と導光体とを備え、光源からの光を導光体に導入して、導光体を発光させる照明装置がある。
下記特許文献１に開示された照明装置は、車両のカップホルダ内を照らすために、カップホルダの底部に設けられた照明装置であって、透明な導光板と、この導光板の裏側に配置された光源とを備えている。
【０００３】
導光板の表側には、光源に対峙する位置に、凹んだ形状の第１反射部が形成されている。第１反射部は、中心に向かって下り勾配となる円錐状のテーパ面をなしており、光源からの光を導光板の面に沿う方向に反射させている。導光板の裏側の外周部には、角部が切り取られるようにして第２反射部が形成されている。第２反射部は、第１反射部のテーパ面とほぼ平行なテーパ面をなしており、第１反射部で反射された光を上方へ反射させている。これにより、光は導光板の表側の面から放出され、導光板の外周部が発光する。
【先行技術文献】
【特許文献】
【０００４】
【特許文献１】特開２０１５−２２９４５５号公報（図３〜図６）
【発明の概要】
【発明が解決しようとする課題】
【０００５】
特許文献１の照明装置では、第１及び第２反射部として、導光板の表側と裏側にそれぞれテーパ面の加工を施さなければならず、導光板の構造が複雑になっていた。
【課題を解決するための手段】
【０００６】
上記課題を解決するために、本発明の照明装置は、導光板と、上記導光板の裏側に配置された光源と、上記導光板の表側の面において上記光源に対峙する位置に設けられた第１光拡散部と、上記導光板の裏側の面において上記第１光拡散部から離れた位置に設けられた第２光拡散部と、を備えたことを特徴とする。
【０００７】
上記構成によれば、光源からの光は、導光板の表側の面に設けられた第１光拡散部により拡散反射（乱反射）され、導光板の内部を、内面反射を繰り返しながら伝播する。光の一部が導光板の裏側の面に設けられた第２光拡散部に到達し、ここで拡散反射され、導光板の表側の面から外部に放出される。放出された光により、導光板の表側の周囲が照らされる。したがって、導光板に複雑な加工を施すことなく、簡素化された構成で、導光板を用いた照明を行うことができる。
【０００８】
好ましくは、上記第１及び第２光拡散部のうち少なくとも一方は、上記導光板に対して着脱可能である。
上記構成によれば、第１及び／又は第２光拡散部の設置位置を変更することができ、配置の自由度を高めることができる。第１光拡散部が着脱可能である場合には、光源の位置が異なる別の照明装置との間で導光板の共用化を図ることができる。第２光拡散部が着脱可能である場合には、光を照らしたい箇所を変更できる。
【０００９】
上記第１及び第２光拡散部のうち少なくとも一方は、シート状に形成され、上記導光板の外面に貼り付けられている。
上記構成によれば、極めて簡素な構成により、導光板を用いた照明を行うことができる。
【発明の効果】
【００１０】
本発明によれば、導光板を用いた簡素化された構成の照明装置を提供することができる。
【図面の簡単な説明】
【００１１】
【図１】本発明の第１実施形態に係る照明装置を備えたカップホルダの平面図である。
【図２】同照明装置の導光板の平面図である。
【図３】図１のIII−III線に沿う断面図である。
【図４】容器ホルダの底部における要部拡大断面図である。
【図５】本発明の第２実施形態に係る照明装置を備えたカップホルダの平面図である。
【図６】同照明装置の加飾板の平面図である。
【図７】図５のVII−VII線に沿う断面図である。
【図８】本発明の第３実施形態に係る照明装置の導光板の平面図である。
【発明を実施するための形態】
【００１２】
［第１実施形態］
以下、本発明の第１実施形態を、図１〜図４を参照して説明する。この実施形態は、本発明を、自動車の内装部品であるカップホルダの照明装置に適用したものである。
カップホルダＨは、例えば、運転席と助手席を隔てるセンターコンソール（図示しない）に設けられ、飲料容器を収容して保持する。図１、図３に示すように、カップホルダＨは、ケース１とパーティション２を備えている。ケース１は、底壁１ａと、その周縁から上方に向かって起立する側壁１ｂとを有し、横断面が略長円形状をなしている。側壁１ｂの一対の長辺部の中央部間にパーティション２が配置されている。これにより、ケース１内の空間は２分割され、２個の飲料容器が収容されるようになっている。
【００１３】
照明装置１０は、カップホルダＨの底部に設けられており、導光板１１と、導光板１１の下方に配置された光源１２とを有している。光源１２は、カップホルダＨの底壁１ａの中央部に形成された貫通孔１ｃにその下側から臨み、導光板１１に向かって光を照射する。光源１２には、電球やＬＥＤ（発光ダイオード）などが用いられる。光源１２として、必要に応じて所望の発光色を有するものを採用してもよい。
【００１４】
図２に示す導光板１１は、略長円形状に形成された無色透明の板であって、カップホルダＨの底壁１ａよりも少し小さく、底壁１ａの上面に載置され、底壁１ａの大部分を覆っている。導光板１１には、光透過性を有する導光樹脂材料、例えば、アクリル樹脂やポリカーボネート樹脂などが用いられる。
【００１５】
導光板１１の上側の面（表側の面）には、上記光源１２に対峙する位置に第１光拡散部１３が設けられている。この実施形態では、第１光拡散部１３は、パーティション２の真下に位置しており、カップホルダＨの上方からは視認できないようになっている。第１光拡散部１３の光源１２側の表面は、微視的に平坦ではなく、この表面に当たった光をあらゆる方向に拡散させる。そのため、光源１２からの光を導光板１１内に拡散反射させる。
【００１６】
この実施形態では、第１光拡散部１３として円形で白色の樹脂製フィルムのシールが用いられている。第１光拡散部１３は、導光板１１の成形後に導光板１１の外面に貼り付けられており、剥がすことも可能である。
【００１７】
導光板１１の下側の面（裏側の面）には、導光板１１の長軸方向における中心と両端との間に、第２光拡散部１４，１４が設けられており、それぞれ上記第１光拡散部１３から離れて配置されている。上記第１光拡散部１３と同様に、第２光拡散部１４の導光板１１側の表面は、微視的に平坦ではなく、この表面に当たった光をあらゆる方向に拡散させる。そのため、導光板１１内を内面反射により伝播してきた光を拡散反射させる。
【００１８】
この実施形態では、第２光拡散部１４，１４として白色の樹脂製フィルムのシールが用いられている。第２光拡散部１４は、導光板１１の成形後に導光板１１の外面に貼り付けられており、剥がすことも可能である。この実施形態では、一方の第２光拡散部１４（図１左側）は長円形状に形成され、他方の第２光拡散部１４（図１右側）は、台形状に形成されている。
【００１９】
次に、上記構成の照明装置１０の作用について図４を参照して説明する。
光源１２を点灯させ、光３を照射させると、光３は導光板１１を透過する。導光板１１を透過した光３は、第１光拡散部１３に当たり、拡散反射される。拡散反射された光３は、導光板１１の表裏の面に対して反射を繰り返しながら導光板内を伝播する。
【００２０】
第１光拡散部１３で拡散され導光板１１内を伝播した光３の一部は、第２光拡散部１４に到達し、拡散反射され、導光板１１の上側の面から外部に放出される。この放出された光３により、導光板１１の上側の周囲が照らさせる。このとき、２つの第２光拡散部１４は、それぞれ長円形、台形に光って見える。第２光拡散部１４は、反射率が高い白色であるため、明るく照らすことができるとともに明るく光って見える。カップホルダＨ内を照らす光は、光源１２の光を拡散反射させた間接光であるため、影ができにくい柔らかな光となる。
【００２１】
上記照明装置１０では、第１及び第２の光拡散部１３，１４として、導光板１１にシールを貼り付けており、導光板１１に複雑な加工を施すことなく、簡素化された構成で導光板１１を用いた照明を行うことができる。
成形後の導光板１１に貼り付けられる第１光拡散部１３は、任意の場所に配置可能なだけでなく、例えば、光源の位置が異なる別の照明装置との間で導光板１１の共用化を図ることにも寄与できる。また、第１光拡散部１３を導光板１１から剥がすこともできるため、光源１２の配置の設計変更等にも対応できる。
第２光拡散部１４もまた成形後の導光板１１に貼り付けられるため、任意の場所に配置可能であり、また導光板１１から剥がすこともできるため、光を照らしたい箇所を変更できるようになる。
【００２２】
光源１２の点灯により、第２光拡散部１４は光って見えるため、カップホルダＨの底部を装飾する模様としても用いることができる。第２光拡散部１４の形状と配置により、さまざまな装飾模様の照明態様を採択することができ、証明装置１０の意匠性が高められる。
第２光拡散部１４は樹脂製フィルムのシールであるから、さまざまな形状に加工が容易で、装飾模様の自由度が高められる。
【００２３】
次に、本発明の他の実施形態について説明する。なお、以下の実施形態については、上記実施形態と異なる構成だけを説明することとし、同様な構成部分には同一符号を付してその説明を省略する。
【００２４】
［第２実施形態］
図５〜図７は、本発明の第２実施形態を示す。この実施形態においては、導光板の上面に導光板を覆う加飾板を設けている。
加飾板１５は、長円形状に形成された遮光性の板であって、導光板１１よりも少し小さく形成されている。加飾板１５は、導光板１１の上面に載置され、導光板１１の大部分を覆っている。加飾板１５には、鉄、エラストマー、樹脂などの板が用いられる。
【００２５】
加飾板１５には、第２光拡散部１４，１４に対応する箇所に、格子窓１５ａ，１５ａが形成されている。格子窓１５ａの枠部は、第２光拡散部１４と相似形状をなしており、第２光拡散部１４よりひとまわり小さく形成されている。
【００２６】
第２光拡散部１４で拡散反射され導光板１１から放出された光は格子窓１５ａを介して周囲を照らす。また、第１光拡散部１３で拡散反射された光源１２からの光３（図４参照）であって、導光板１１内を伝播する過程で導光板１１の上側の面より外部に出ようとする光は、加飾板１５により遮蔽される。その結果、格子窓１５ａを介して光って見える第２光拡散部１４は、加飾板１５に対して明暗差が高められて際立たせられるとともに、格子窓１５ａの格子により、縞の装飾が付加される。したがって、照明装置１０の意匠性がさらに高められる。
【００２７】
加飾板１５には、格子のない窓が形成されてもよく、所望の文字や図形が打ち抜かれて形成されてもよい。
【００２８】
［第３実施形態］
図８は、本発明の第３実施形態を示す。この実施形態においては、第２光拡散部の形状と配置を上記実施形態とは異ならせている。
この実施形態の第２光拡散部１４は、星形に形成され、導光板１１の長軸方向の両側部に複数配置されている。照明装置１０の光源１２を点灯させると、カップホルダ１の底部に星形の模様が浮かび上がるようになっている。この実施形態の照明装置１０では、さまざまな形状と配置が可能で多様な装飾模様を採択可能な第２光拡散部１４により、装飾性に重きを置いた照明態様を実現している。
【００２９】
なお、本発明は、上記実施形態に限定されるものではなく、その要旨を逸脱しない範囲において各種の変形例を採用することができる。
上記実施形態では、第１及び第２光拡散部を設けるために、導光板に樹脂製フィルムのシールを貼り付けているが、インクを用いた印刷、塗料の塗布、ペンによるマーキング、蒸着、スパッタリング、又は紙製若しくはその他の素材のシートの貼着等を利用してもよい。また、ブラスト処理、エッチング、放電加工等の粗面化処理を用いてもよい。
上記実施形態では、１つの光源を用いているが、異なる位置に複数の光源を配置してもよい。
第２光拡散部の形状及び配置は、上記実施形態に限られず、例えば、第２光拡散部を導光板の裏側の面の外周縁部に沿うように配置してもよい。
導光板を着色された光透過性の材料で形成してもよい。
上記実施形態では、第２光拡散部を反射率の高い白色にして明るく照らしたが、反射率の異なるその他の色を採用してもよく、例えば、反射率の低い黒色にして暗く照らしてもよい。
【産業上の利用可能性】
【００３０】
本発明は、光源と導光体を備えた照明装置に適用することができる。
【符号の説明】
【００３１】
１０    照明装置
１１    導光板
１２    光源
１３    第１光拡散部
１４    第２光拡散部
【図１】
2019119228.tif 000003
【図２】
2019119228.tif 000004
【図３】
2019119228.tif 000005
【図４】
2019119228.tif 000006
【図５】
2019119228.tif 000007
【図６】
2019119228.tif 000008
【図７】
2019119228.tif 000009
【図８】
2019119228.tif 000010